(57)【要約】  【課題】親局と複数の子局との間を、受動型光分岐器を介して光ファイバで接続した光通信システムにおいて、信号区間と無信号区間を正確に判定でき、Ｓ／Ｎのよい信号を出力することのできるバースト信号受信装置を提供する。  【解決手段】判定回路の出力ｃが信号無しの状態から信号有りの状態になった時点ｔ1に基づいて、基準値ｅを高いレベルに変化させ、前記判定回路の出力ｃが信号有りの状態から信号無しの状態になった時点に基づいて基準値ｅを低いレベルに変化させる。バースト信号の強度ｂが立ち上がる時は、前記「低いレベル」の基準値に基づくので、そのバースト信号ｂの立ち上がりを速やかに検出できる。バースト信号ｂの強度が下がるときは、高いレベルの基準値ｅに基づいて、そのバースト信号ｂの立ち下がりを速やかに検出できる。  【効果】バースト信号ｂの立ち上がり、立下りともに、遅延のない速やかな検出が可能となる。バースト信号ｂを受信している信号区間と、バースト信号ｂを受信していない無信号区間とを正確に判別することができる。【選択図】        図３
2006005472.tif 000002
【特許請求の範囲】
【請求項１】
光通信システムに用いられるバースト信号受信装置であって、
バースト信号を受信している信号区間と、バースト信号を受信していない無信号区間とを判別するための信号検出回路を備え、前記信号検出回路は、
バースト信号の強度を検出する強度検出回路と、
前記強度検出回路の出力と基準値とを比較して信号の有無を判定する判定回路と、
前記判定回路の出力が信号無しの状態から信号有りの状態になった時点及び信号有りの状態から信号無しの状態になった時点に基づいて基準値を変化させる基準値制御回路とを有することを特徴とするバースト信号受信装置。
【請求項２】
前記基準値制御回路は、前記判定回路の出力が信号無しの状態から信号有りの状態になった時点に基づいて、基準値を高いレベルに変化させ、前記判定回路の出力が信号有りの状態から信号無しの状態になった時点に基づいて基準値を低いレベルに変化させる請求項１記載のバースト信号受信装置。
【請求項３】
前記低いレベルの基準値は固定であり、前記基準値制御回路は、高いレベルの基準値を、前記強度検出回路の出力と低いレベルの基準値との間の値に設定するものである請求項２記載のバースト信号受信装置。
【請求項４】
前記基準値制御回路は、基準値を高いレベルに変化させる時定数を持ち、その時定数は、前記強度検出回路がバースト信号の強度を検出する時定数よりも長いものである請求項２又は請求項３記載のバースト信号受信装置。
【請求項５】
前記信号検出回路の判別結果に応じて、バースト信号の受信出力を制御する出力制御回路をさらに備える請求項１から請求項４のいずれかに記載のバースト信号受信装置。
【請求項６】
光通信システムに用いられるバースト信号受信方法であって、
バースト信号の無信号区間において、バースト信号の強度を検出するための基準値を低いレベルに設定しておき、
バースト信号が信号無しの状態から信号有りの状態になった時点に基づいて基準値を高いレベルに変化させ、
この高いレベルの基準値によりバースト信号が信号有りの状態から信号無しの状態になった時点を検出することを特徴とするバースト信号受信方法。
【発明の詳細な説明】
【技術分野】
【０００１】
本発明は、光通信システムに用いられるバースト信号受信装置に関するものである。
【背景技術】
【０００２】
親局と複数の子局との間を、光データ通信ネットワークを使って双方向通信するシステムにおいて、親局と各子局との間を、それぞれ１本の光ファイバで放射状に結ぶネットワーク構成が実用化されている(Single Star)。このネットワーク構成では、システム、機器構成は簡単になるが、１つの子局が１本の光ファイバを占有するので（子局数Ｎあれば、通しの光ファイバがＮ本必要）、システムの低価格化を図るのが困難である。
【０００３】
そこで、１本の光ファイバを、複数の子局で共有するＰＯＮ(Passive Optical Network)システム（ＰＤＳ(Passive Double Star)ともいう）が提案されている。このＰＯＮシステムは、親局と受動型光分岐器との間を光ファイバで接続し、さらに受動型光分岐器と複数の子局との間をそれぞれ複数の光ファイバで接続したものである。また、受動型光分岐器と複数の子局との間に、さらに他の受動型光分岐器を挿入する構成も採用されている。
【０００４】
ＰＯＮシステムでは、親局から子局に送信される下り光信号は、全子局に配信されるが、送り先アドレスの子局のみが光信号を取り込む。子局から送信される上り光信号は、子局どうしで衝突しないように、各子局の送信時間が分割割当される。
ＰＯＮシステムでは、親局に近い場所に設置された子局あるいは分岐の少ない子局からの光信号と、親局から遠い場所に設置された子局あるいは複数の分岐を経た子局からの光信号とでは、親局における光受信強度が大きく異なる。これは、光が光ファイバを伝搬するときに減衰を受けるとともに、受動型光分岐器を通過するごとに、さらに大きな減衰を受けるからである。
【０００５】
図７は、親局で受信される各子局からの上り光信号の波形を示している。光信号は、１ＧＨｚ又はそれ以上の高周波繰り返しパルス信号の集合である。この信号を「バースト信号」という。
１つの子局からの上り光信号を受信した後、信号のない区間があって、その後他の子局からの上り光信号を受信する。上り光信号を受信している区間を「信号区間」、信号のない区間を「無信号区間」という。
【０００６】
図７では、信号区間におけるバースト信号を読み取るために、バースト信号強度の約半分の強度を有する閾値を用いて読み取っている。
図８は、バースト信号を読み取るバースト信号受信装置のブロック構成図の例を示している。アバランシェフォトダイオードＡＰＤのような受光素子２で検出された光信号は、増幅器３で増幅され、比較器４で可変閾値と比較される。比較した結果の信号は、出力制御回路５を通して出力される。また、比較器４に入力される信号は、信号検出回路１にも入力されている。
【０００７】
この信号検出回路１は、光信号の有無、すなわち信号区間と無信号区間を判定するための回路である。無信号区間である場合、信号検出回路１から出力制御回路５に無信号区間を示す信号が供給される。出力制御回路５は、無信号区間を示す信号が入力されれば、比較器４の出力を停止する。信号区間である場合は、信号検出回路１から出力制御回路５に信号区間を示す信号が供給される。出力制御回路５は、信号区間を示す信号が入力されれば、比較器４の出力を許容する。このようにして、無信号区間における信号の誤検出を防いでいる。
【０００８】
図９は、図８のバースト信号受信装置の各部の波形図である。図９（ａ）は、比較器４の出力波形ｆを示す。バースト信号のある信号区間では、比較器４には信号出力が現れているが、バースト信号のない無信号区間では、信号強度と閾値がゼロレベルとなるため、比較器４で正しい判定ができず、出力はノイズ状態になる。図９（ｂ）は、信号検出回路１の出力波形ｃを示す。信号区間で信号を検出し、無信号区間では、非検出となる。そして、信号区間のみ比較器４の出力をパスさせて、無信号区間では比較器４の出力を停止させる。図９（ｃ）は、出力制御回路５から出力される信号波形ｄを示している。信号波形ｄは、無信号区間では、ノイズが遮断されたものとなっている。
【０００９】
このような信号検出回路１の機能により、出力制御回路５から出力される信号ｄは、無信号区間ではノイズの出力を停止するため、後続の回路が安定して動作することができる。
【特許文献１】特開平10-210087号公報
【発明の開示】
【発明が解決しようとする課題】
【００１０】
図１０は、信号検出回路１の、より詳細なブロック図である。信号検出回路１は、増幅器３の出力信号ａのレベルを検出する強度検出回路６と、強度検出回路６の出力と基準値とを比較する判定回路７とを備えている。判定回路７が増幅器３の出力信号ａのレベルを判定するために用いる基準値は、かなり低いレベルに固定されている。例えば、G-EPONの規格が定められているEEE802.3ah規格では、伝送距離２０kmの場合、親局の最小受信感度が-27dBmであり、基準値のレベルｅはそれよりも低い値に設定されている。
【００１１】
図１１は、図１０の信号検出回路１の各部の出力波形図である。図１１（ａ）は、増幅器３の出力信号ａの波形を示す。図１１（ｂ）は、強度検出回路６の出力ｂの波形図である。この波形図を見ると、強度検出回路６の出力ｂは、立上がり、立下がりともにある傾きをもって推移している。これは強度検出回路６に時定数があるためである。立ち上がり時の時定数は短いが、立下がり時の時定数は長くなっている。
【００１２】
前記固定された基準値は、低いレベル（図１１（ｂ））に固定されているので、この基準値で検出すると、図１１（ｃ）に示すように、立ち下がり時の信号消滅時点の判定が遅くなる。このため、入力信号ａがなくなっているのに、信号区間がまだ続いていると判定してしまい、出力制御回路５を誤動作させてしまう。
そこで、本発明は、親局と複数の子局との間を光ファイバで接続した光通信システムにおいて、信号区間と無信号区間を正確に判定でき、信号区間の信号を出力して、無信号区間に比較器から出力されるノイズを遮断することのできるバースト信号受信装置を提供することを目的とする。
【課題を解決するための手段】
【００１３】
本発明のバースト信号受信装置は、バースト信号を受信している信号区間と、バースト信号を受信していない無信号区間とを判別するための信号検出回路を備え、前記信号検出回路は、バースト信号の強度を検出する強度検出回路と、前記強度検出回路の出力と基準値とを比較して信号の有無を判定する判定回路と、前記判定回路の出力が信号無しの状態から信号有りの状態になった時点及び信号有りの状態から信号無しの状態になった時点に基づいて基準値を変化させる基準値制御回路とを有するものである。
【００１４】
前記の構成によれば、バースト信号の強度を検出し、基準値に基づいて、バースト信号の有無を判定する際に、その基準値を可変にする。これによって、バースト信号の立ち上がり、立下りともに、遅延のない速やかな検出が可能となる。
前記基準値制御回路は、具体的には、前記判定回路の出力が信号無しの状態から信号有りの状態になった時点に基づいて、基準値を高いレベルに変化させ、前記判定回路の出力が信号有りの状態から信号無しの状態になった時点に基づいて基準値を低いレベルに変化させる制御を行う。この制御によれば、バースト信号の強度が立ち上がる時は、前記「低いレベル」の基準値に基づくので、そのバースト信号の立ち上がりを速やかに検出できる。この結果、前記判定回路の出力は、速やかに信号無しの状態から信号有りの状態になる。この状態変化に基づいて、基準値を高いレベルに変化させておく。したがって、バースト信号の強度が下がるときは、高いレベルの基準値に基づいて、そのバースト信号の立ち下がりを速やかに検出できる。
【００１５】
前記低いレベルの基準値は固定値とし、前記基準値制御回路は、高いレベルの基準値を、前記強度検出回路の出力と低いレベルの基準値との間の値に設定するとよい。バースト信号の強度は、必ずしも一定でないので、この設定により、バースト信号の強度の高低にかかわらず、バースト信号の立下りを確実に検出できる。
前記基準値制御回路は、基準値を高いレベルに変化させる時定数を持つが、その時定数は、前記強度検出回路がバースト信号の強度を検出する時定数よりも長いものであることが望ましい。この理由は、前記強度検出回路がバースト信号の強度を検出する速度よりも前記基準値制御回路が基準値を高いレベルに変化させる速度を低めに設定しておかないと、バースト信号と基準値との大小関係が時間的に安定せず、前記判定回路が誤検出してしまうからである。
【００１６】
また、本発明のバースト信号受信装置は、前記信号検出回路の判別結果に応じて、バースト信号の受信出力を制御する出力制御回路をさらに備えるものであれば、無信号区間に比較器から出力されるノイズを遮断することができるので、後続の回路が安定して動作することができる。特に、ＰＬＬ(Phase Locked Loop)回路を持つクロック再生回路は信号の基準周波数とは無関係に変化するノイズに対して誤って同期する可能性があるために、このノイズの遮断によって誤同期を防ぎ、安定動作させることができる。
【００１７】
また、本発明のバースト信号受信方法は、バースト信号の無信号区間において、バースト信号の強度を検出するための基準値を低いレベルに設定しておき、バースト信号が信号無しの状態から信号有りの状態になった時点に基づいて基準値を高いレベルに変化させ、この高いレベルの基準値によりバースト信号が信号有りの状態から信号無しの状態になった時点を検出する方法である。この方法は、前記請求項２記載の本発明のバースト信号受信装置と同一発明にかかる方法である。
【発明の効果】
【００１８】
以上のように本発明によれば、バースト信号の有無を判定する際に、その判定基準値を可変にすることによって、バースト信号の立ち上がり、立下りともに、遅延のない速やかな検出が可能となり、信号区間と無信号区間を正確に判定できる。
【発明を実施するための最良の形態】
【００１９】
以下、本発明の実施の形態を、添付図面を参照しながら詳細に説明する。
図１は、親局と複数の子局との間を、受動型光分岐器を介して光ファイバで接続したＰＯＮシステムの構成例を示すブロック図である。
局舎内のＰＯＮシステム構成部分を親局又は局側装置といい、加入者宅内のＰＯＮシステム構成部分を子局又は加入者側装置という。ＰＯＮシステムは、親局、複数の子局、及び受動型光分岐器１２を備え、親局と受動型光分岐器１２との間を幹線光ファイバ１１で接続し、受動型光分岐器１２と子局との間をそれぞれ支線光ファイバ１３で接続している。光ファイバはシングルモードファイバを用いている。受動型光分岐器１２は、スターカップラーで構成される。
【００２０】
親局から子局への下り光信号及び子局から親局への上り光信号は、それぞれパケットで構成される。親局は、上位のネットワーク（インターネットなど）から送られてくるパケットを受けて、光ファイバを通して子局に送り出し、子局から送られてきたパケットを受信し、上位のネットワークに送り出す機能を持っている。
親局は、公知のように、光ファイバとの接続端となる光伝送路終端装置ＯＬＴ(Optical Line Terminals)、レイヤ２スイッチ、及び上位のネットワークの接続端となるブロードバンドアクセスルータ等を備えている。
【００２１】
子局は、宅内に設置されるパーソナルコンピュータ、パーソナルコンピュータのブロードバンド光信号を光ネットワークに送受する光加入者線終端装置ＯＮＵ(Optical Network Unit)等を備えている。
前記ＰＯＮシステムの動作を簡単に説明すると、上位のネットワークから親局に入ってくる下りパケットは、親局においてレイヤ２スイッチで所定の処理が行われる。そして、光伝送路終端装置ＯＬＴを通して光信号として光ファイバに送信される。光ファイバに送信された光信号は、受動型光分岐器で分岐され、受動型光分岐器につながる子局に送信されるが、送信先アドレスの合致した子局がその光信号を取り込み、パケットを復号解読する。
【００２２】
一方、子局から上りパケットとして送信されるバースト光信号は、受動型光分岐器を経由して親局に送信される。親局では、レイヤ２スイッチで所定の処理が行われた後、ここからブロードバンドアクセスルータを介して上位のネットワークに送信される。
子局から送信される上りバースト光信号は、互いに時間的に競合しないようにする必要がある。そのために、親局から子局にパケットを送信するときに、各子局に対して上り光信号時間スロット（以下単に「スロット」という）を割り当てる。スロットを割り当てられた子局は、その割り当てられたスロットに上りバースト光信号を送出する。したがって、子局間の上りパケットの競合は回避される。なお、親局と子局との間で時計を共有している必要があるが、この時計の時刻合わせは、パケットの通信を行うときに、時刻情報をパケットの中に含ませることによって行うことができる。
【００２３】
親局は、各子局から順次、上りバースト光信号を受信することになるが、その光信号強度は、光ファイバの経路によって異なる。例えば、光ファイバの長さが子局ごとに違うし、受動型光分岐器を通るか通らないかでも異なる。
再掲図８は、親局におけるバースト信号受信装置を示すブロック図である。バースト信号受信装置は、光信号を検出する受光素子２と、受光素子２で検出された光信号を増幅する増幅器３と、増幅された信号を可変閾値と比較する比較器４と、比較器４で比較された結果の二値化信号を出力する出力制御回路５と、増幅器３で増幅された信号に基づいて信号区間・無信号区間を判定する信号検出回路１を備えている。信号検出回路１は、信号区間・無信号区間の判定に基づいて、無信号区間で停止信号を出力する。出力制御回路５は、信号検出回路１から出力される停止信号に基づいて、信号の通過を許容・禁止する。
【００２４】
図２は、前記信号検出回路１の内部ブロック図である。信号検出回路１は、増幅器３の出力信号ａのレベルを検出する強度検出回路６と、基準値を作り出す基準値制御回路８と、信号検出回路１の出力と基準値とを比較する判定回路７とを備えている。判定回路７は、前記比較の結果、増幅器３の出力信号ａのレベルが基準値よりも高い期間は信号区間であることを示す信号を出し、 増幅器３の出力信号ａのレベルが基準値よりも低い期間は無信号区間であることを示す信号（前記停止信号）を出す。
【００２５】
本発明では、前記基準値制御回路８によってつくり出される基準値のレベルは、固定値ではなく、可変値となっている。
図３は、信号検出回路１内の各部の波形図である。図３（ａ）は、増幅器３の出力信号ａの波形を示す。図３（ｂ）は、強度検出回路６の出力波形ｂの波形図である。出力波形ｂの波形は、立上がり、立下がりともにある傾きをもって推移している。立ち上がり時の時定数は短いが、立下がり時の時定数は長いので、立下がりの傾きのほうが緩い。
【００２６】
基準値のレベルの変化の様子を図３（ｂ）に示す。基準値は同図に示すように、二値に変化している。基準値は、出力信号ａの波形の立ち上がり時点を検出してから、時間Ｔ経過後に高いレベルとなり、出力信号ａの波形の立ち下がり時点を検出してから、速やかに低いレベルに戻る。したがって、出力信号ａの波形の立ち下がり時点を高いレベルの基準値で検出できるので、出力信号ａの波形の立ち下がり時点を速やかに検出できるという利点がある。この結果、図３（ｃ）に示すように、判定回路７の出力信号ｃの波形は、信号区間をほぼ忠実に反映したものとなる。
【００２７】
図４は、基準値制御回路８の一例を示す内部ブロック図である。この基準値制御回路は、Ａ／Ｄ変換器８１を用いてアナログ信号をディジタル信号に変換して、ディジタル制御部８２に供給し、その処理後のディジタル信号をＤ／Ａ変換器８３を通して、基準値として出力している。
このディジタル制御部８２の処理は、基準値を低いレベルに設定しておき、判定回路７の出力信号ｃの立上りを検出すると、時間Ｔ経過後に基準値を高いレベルに設定する。判定回路７の出力信号ｃの立下がりを検出すると、再び基準値を低いレベルに設定するというソフトウェアの処理である。
【００２８】
前記図４の基準値制御回路８は、ディジタル制御部８２においてディジタル信号をソフトウェア処理していたが、半導体素子を用いてアナログ信号をそのまま処理してもよい。
図５は、アナログ処理を行う基準値制御回路８の内部ブロック図である。基準値制御回路８は、ローレベル生成回路８５でローレベル電圧を生成し、ハイレベル生成回路８４でハイレベル電圧を生成して、これらの電圧をスイッチ回路８６で切替える。スイッチ回路８６の切替え制御は、制御部８７において行う。
【００２９】
ローレベル生成回路８５は固定のローレベル電圧をスイッチ回路８６に供給する。ハイレベル生成回路８４は、強度検出回路６からの入力信号ｂとローレベル電圧とを抵抗などで分圧して、ローレベル電圧より高く入力信号ｂの電圧より低い電圧を生成し、これをピーク保持部（図示せず）でホールドして、スイッチ回路８６に供給する。前記ピーク保持部の時定数は、強度検出回路６の時定数よりも長く設定している。その時定数の差を時間Ｔとする。このようにピーク保持部の時定数を強度検出回路６の時定数よりも長くする理由は、ピーク保持部の時定数を強度検出回路６の時定数と同じかそれよりも短くすると、ハイレベル生成回路８４から出力される基準値が強度検出回路６からの入力信号ｂに追従してしまい、判定回路７の判定が不安定になるからである。不安定な判定回路７からの出力信号ｃが制御部８７に帰還されると、スイッチ回路８６が予期しない時点で切り替わってしまう。
【００３０】
前記制御部８７は、判定回路７の出力信号ｃの立上りを検出すると、スイッチ回路８６をハイレベル生成回路８４側に切替え、判定回路７の出力信号ｃの立下がりを検出すると、スイッチ回路８６をローレベル生成回路８５側に切替えるという処理をする。
このような基準値制御回路８の動作を、図３及び図６を参照して説明する。図６は、基準値制御回路８の動作を時間の流れを追って描いたフローチャートである。
【００３１】
まず、基準値ｅを最低レベルに設定する（ステップＳ１）。
強度検出回路６からの入力信号ｂが低いレベルから基準値よりも高いレベルに立ち上がった時点をｔ1とする（図３（ｂ）；ステップＳ２）。時点ｔ1で、判定回路７の出力信号ｃがハイレベルになる。これに応じて、制御部８７は、スイッチ回路８６をハイレベル生成回路８４側に切替える。 ところが、ハイレベル生成回路８４は前述したように、最初ローレベルであり、長い時定数でハイレベル電圧を生成するので、時点ｔ1よりも、前記時間Ｔだけ遅れてハイレベル電圧を生成することになる（ステップＳ３）。したがって、基準値も時点ｔ2において、ハイレベル電圧になる（ステップＳ４）。
【００３２】
強度検出回路６からの入力信号ｂが低下しだすと（ステップＳ５）、入力信号ｂは時点ｔ3において基準値を下回り、判定回路７の出力信号ｃがローレベルになる。これに応じて制御部８７は、スイッチ回路８６をローレベル生成回路８５側に切替える。それと同時に、制御部８７は、制御部８７からハイレベル生成回路８４にリセット信号を供給する。ハイレベル生成回路８４は、このリセット信号によって前記ピーク保持部を放電する。したがって、ハイレベル生成回路８４の出力は、強度検出回路６からの入力信号ｂに追従して低下していき（ステップＳ６）、ローレベルになった状態で待機する（ステップＳ１）。
【００３３】
次に、強度検出回路６からの入力信号ｂが立ち上がると、前記と同様の動作が繰り返されることになる。
以上のようにして、強度検出回路６からの入力信号ｂに基づいてバースト信号の有無を判定する際に、その基準値ｅを可変にすることによって、バースト信号の立ち上がり、立下りともに、遅延のない速やかな検出が可能となる。
【００３４】
以上で、本発明の実施の形態を説明したが、本発明の実施は、前記の形態に限定されるものではなく、本発明の範囲内で種々の変更を施すことが可能である。
【図面の簡単な説明】
【００３５】
【図１】ＰＯＮシステムの全体を示すブロック図である。
【図２】信号検出回路１の内部ブロック図である。
【図３】信号検出回路１内の各部の波形図である。図３（ａ）は、増幅器３の出力信号ａの波形を示す。図３（ｂ）は、強度検出回路６の出力波形ｂの波形図である。図３（ｃ）は判定回路７の出力信号ｃの波形図である。
【図４】基準値制御回路８の一例を示す内部ブロック図である。
【図５】基準値制御回路８の他の例を示す内部ブロック図である。
【図６】基準値制御回路８の動作を時間の流れを追って描いたフローチャートである。
【図７】親局で受信される各子局からの上り光信号の波形を示す波形図である。
【図８】バースト信号受信装置のブロック構成図である。
【図９】図８のバースト信号を読取回路の各部の波形図である。図９（ａ）は比較器４の出力波形ｅを示す。図９（ｂ）は信号検出回路１の出力波形ｃを示す。図９（ｃ）は出力制御回路５から出力される信号波形ｄを示す。
【図１０】信号検出回路１の内部を示すブロック図である。
【図１１】図１０の信号検出回路１の各部の出力波形図である。図１１（ａ）は増幅器３の出力信号ａの波形を示す。図１１（ｂ）は強度検出回路６の出力波形ｂの波形図である。図１１（ｃ）は信号検出回路から出力される信号波形ｃを示す。
【符号の説明】
【００３６】
１  信号検出回路
２  受光素子
３  増幅器
４  比較器
５  出力制御回路
６  強度検出回路
７  判定回路
８  基準値制御回路
１１，１３  光ファイバ
１２  光分岐器
８１  Ａ／Ｄ変換器
８２  ディジタル制御部
８３  Ｄ／Ａ変換器
８４  ハイレベル生成回路
８５  ローレベル生成回路
８６  スイッチ回路
８７  制御部
【図１】
2006005472.tif 000003
【図２】
2006005472.tif 000004
【図３】
2006005472.tif 000005
【図４】
2006005472.tif 000006
【図５】
2006005472.tif 000007
【図６】
2006005472.tif 000008
【図７】
2006005472.tif 000009
【図８】
2006005472.tif 000010
【図９】
2006005472.tif 000011
【図１０】
2006005472.tif 000012
【図１１】
2006005472.tif 000013